(57)【要約】      （修正有）【課題】ゴルフのグリーン上でボールをマークした位置を発光することにより容易に識別でき、発光に要する電源の電池の交換を不要とするグリーンマーカーを提供する。【解決手段】光源として発光ダイオード（ＬＥＤ）を使用し、電池の交換が不要な太陽光発電機を電源として装備する。さらに、太陽光発電機によって発電した動力を蓄える充電式蓄電池と充電を行うための充電装置と、光源を点灯又は消灯させるためのスイッチを装備する。【選択図】図１７
0003163193.tif 000002
【実用新案登録請求の範囲】
【請求項１】
電池の交換が不要なソーラー発電機とも呼ばれる太陽光発電機を電源として装備し、LEDとも呼ばれる発光ダイオードを光源として点灯させるために装備したことを
特徴とするゴルフ用グリーンマーカー。
【請求項２】
請求項１のグリーンマーカーに夕暮れ後等の太陽光による発電が不可能になった場合でもLED の点灯を可能にするために、太陽光発電機によって発電させた電力を
充電式蓄電池に充電する充電装置と充電式蓄電池を追加したことを特徴とするグリーンマーカー。
【請求項３】
請求項１のグリーンマーカーに光源を点灯または消灯させるためのスイッチを装備したことを特徴とするゴルフ用グリーンマーカー。 
【請求項４】
請求項２のグリーンマーカーに光源を点灯または消灯させるためのスイッチを装備したことを特徴とするゴルフ用グリーンマーカー。 
【請求項５】
請求項１のグリーンマーカーの光源を点灯させるだけでなく、点滅もさせる制御基板を請求項１のグリーンマーカーに追加したことを特徴とするグリーンマーカー。
【請求項６】
請求項２のグリーンマーカーの光源を点灯させるだけでなく、点滅もさせる制御基板を請求項２のグリーンマーカーに追加したことを特徴とするグリーンマーカー。
【請求項７】
請求項３のグリーンマーカーの光源を点灯させるだけでなく、点滅もさせる制御基板を請求項１のグリーンマーカーに追加したことを特徴とするグリーンマーカー。
【請求項８】
請求項４のグリーンマーカーの光源を点灯させるだけでなく、点滅もさせる制御基板を請求項２のグリーンマーカーに追加したことを特徴とするグリーンマーカー。
【考案の詳細な説明】
【技術分野】
【０００１】
本考案は、ゴルフ場におけるグリーン上でボールをマークするグリーンマーカーに関するものである。
【背景技術】
【０００２】
ゴルフにおいてプレーヤーが打ったボールがグリーンにオンした場合、グリーンマーカーでマークし、
ボール取り上げ、残りのプレーヤーがグリーンにオンするまで待って、カップとの距離が遠いプレーヤーからマークしたところに再度ボールを置き、パッティングを行う。
このような場合、カップから遠くにオンした場合、或いは自分のパッティングの順番を待っている間に、マーカーが目立つものでない場合、
自分がマークしたマーカーの場所を見失う場合がある。
そのため、実用新案登録第3148870号広報、特開2005-312870号広報、特開2009-240712号広報等においてもその問題を解決するグリーンマーカーの構造が開示されている。
【考案の開示】
【考案が解決しようとする課題】
【０００３】
しかしながら、それらの構造は全て電源として通常のコイン型リチウム電池を使用している。
この電池の場合、電池のエネルギーがなくなった場合、交換しなければならない。
【０００４】
また、充電式の電池であってもエネルギーがなくなった場合は別の充電装置によって充電しなければならず甚だ不便である。
更にゴルフのプレー中にこのような状態になった場合は特に面倒である。
【０００５】
さらにそれらの方式の場合、電池を取り出すことが必要となり、その取り出し部を防水するために密閉する手段を施すのに困難を要する。
【課題を解決するための手段】
【０００６】
そこで、本考案は上記問題点を解決するために成されたもので、電池を交換する必要をなくし、
有害物質の含まれる電池を廃棄せずにすむクリーンであることに貢献することを併せ持つグリーンマーカーを考案した。
【考案の効果】
【０００７】
本考案によりゴルフプレーヤーはマークした場所を見失うことを防ぐことが出来、
且つ電池のエネルギー切れを心配することのない視認性の高いグリーンマーカーでゴルフのプレーを行うことが出来る。
【０００８】
請求項１または請求項２の考案によれば、 ゴルフプレーヤーは視認性の高いマーカーを使用することが出来、マークした場所を見失うことを防ぐことが出来る。
【０００９】
請求項２の考案によれば、夕暮れ、日照不足、或いは太陽光発電機の発電能力の低さによって、
太陽光発電機から直接電力を供給する方式ではLEDを発光させるのに十分な電力を供給できない場合、
プレーヤーがティーグラウンドよりグリーンに移動するまでの間等、
グリーンマーカーを使用しない時期に充電した電力を使用することにより、LEDを点灯させる安定した電力を供給することが出来る。
【００１０】
請求項３、請求項４、請求項７、または請求項８の考案によれば、グリーン上のカップの近所にマークする際、
他のプレーヤーに対して目障りなる場合は消灯することが出来る。
【００１１】
請求項５、請求項６、請求項７、または請求項８の考案によれば、LEDを点滅させることにより、更に視認性を高めることが出来る。
【考案を実施するための最良の形態】
【００１２】
本考案に係るグリーンマーカーは請求項１、請求項２、請求項３、請求項４、請求項５、請求項６、請求項７、または請求項８のいずれかの特徴を持ち、
使用者は、使い勝手、嗜好に合わせてそれぞれの特徴を持ったグリーンマーカーの中から、いずれかを選択して使用することにより、
ボールをマークした場所を見失うことを防ぐことが出来る。
【００１３】
実施方法は、グリーンマーカーを製造する製造業者は請求項１、請求項２、請求項３、請求項４、請求項５、請求項６、請求項７、または請求項８
のいずれかのグリーンマーカーを製造、販売し、使用者は、使い勝手、嗜好に合わせて選択して購入し、使用する。
【図面の簡単な説明】
【００１４】
【図１】本考案の請求項１に係るグリーンマーカーの回路図である。
【図２】本考案の請求項２に係るグリーンマーカーの回路図である。
【図３】本考案の請求項３に係るグリーンマーカーの回路図である。
【図４】本考案の請求項４に係るグリーンマーカーの回路図である。
【図５】本考案の請求項５に係るグリーンマーカーの回路図である。
【図６】本考案の請求項６に係るグリーンマーカーの回路図である。
【図７】本考案の請求項７に係るグリーンマーカーの回路図である。
【図８】本考案の請求項８に係るグリーンマーカーの回路図である。
【図９】本考案の請求項１に係るグリーンマーカーの実体配線図である。
【図１０】本考案の請求項２に係るグリーンマーカーの実体配線図である。
【図１１】本考案の請求項３に係るグリーンマーカーの実体配線図である。
【図１２】本考案の請求項４に係るグリーンマーカーの実体配線図である。
【図１３】本考案の請求項５に係るグリーンマーカーの実体配線図である。
【図１４】本考案の請求項６に係るグリーンマーカーの実体配線図である。
【図１５】本考案の請求項７に係るグリーンマーカーの実体配線図である。
【図１６】本考案の請求項８に係るグリーンマーカーの実体配線図である。
【図１７】グリーンマーカーの着地面に差し込んで固定させるピンを配置した請求項８のグリーンマーカーの外観図である。
【図１８】グリーンマーカーの裏面に帽子等に装着されるグリーンマーカーを保管するマーカーホルダーに接着させるための磁石を配置した請求項８のグリーンマーカーの外観図である。
【符号の説明】
【００１５】
１    回路図上の太陽光発電機。
【００１６】
２    回路図上の発光ダイオード(LED)。
【００１７】
３    回路図上の蓄電池。
【００１８】
４    回路図上の充電装置。
【００１９】
５    回路図上のスイッチ。
【００２０】
６    回路図上の光源を点灯あるいは点滅させるための基板。
【００２１】
７    回路図上の制限抵抗または定電流ダイオード（CRD)。尚、電圧、電流が過電流、過電圧にならず安定している場合、
または符号６の基板に制限抵抗機能が備わっている場合は特に必要ではない。
【００２２】
８    配線図上の太陽光発電機。
【００２３】
９    配線図上の発光ダイオード(LED)。
【００２４】
１０  配線図上の蓄電池。
【００２５】
１１  配線図上の充電装置。
【００２６】
１２  配線図上のスイッチ。
【００２７】
１３  配線図上の光源を点灯あるいは点滅させるための基板。
【００２８】
１４  配線図上の制限抵抗または定電流ダイオード（CRD)。尚、電圧、電流が過電流、過電圧にならず安定している場合、
または符号１３の基板に制限抵抗機能が備わっている場合は特に必要ではない。
【００２９】
１５  概観図上の太陽光発電機。
【００３０】
１６  概観図上の発光ダイオード(LED)。
【００３１】
１７  概観図上の蓄電池。
【００３２】
１８  概観図上の充電装置。
【００３３】
１９  概観図上のスイッチ。
【００３４】
２０  概観図上の光源を点灯あるいは点滅させるための基板。
【００３５】
２１  概観図上の制御抵抗または定電流ダイオード(CRD)。
【００３６】
２２  概観図上のグリーンマーカーをマーカーホルダーに接着させるための磁石。
【図１】
0003163193.tif 000003
【図２】
0003163193.tif 000004
【図３】
0003163193.tif 000005
【図４】
0003163193.tif 000006
【図５】
0003163193.tif 000007
【図６】
0003163193.tif 000008
【図７】
0003163193.tif 000009
【図８】
0003163193.tif 000010
【図９】
0003163193.tif 000011
【図１０】
0003163193.tif 000012
【図１１】
0003163193.tif 000013
【図１２】
0003163193.tif 000014
【図１３】
0003163193.tif 000015
【図１４】
0003163193.tif 000016
【図１５】
0003163193.tif 000017
【図１６】
0003163193.tif 000018
【図１７】
0003163193.tif 000019
【図１８】
0003163193.tif 000020
【手続補正書】
【提出日】平成22年3月17日(2010.3.17)
【手続補正１】
【補正対象書類名】実用新案登録請求の範囲
【補正対象項目名】請求項２
【補正方法】変更
【補正の内容】
【請求項２】
請求項１に記載のゴルフ用グリーンマーカーに夕暮れ後等の太陽光による発電が不可能になった場合でもLED の点灯を可能にするために、太陽光発電機によって発電させた電力を
充電式蓄電池に充電する充電装置と充電式蓄電池を追加したことを特徴とするゴルフ用グリーンマーカー。
【手続補正２】
【補正対象書類名】実用新案登録請求の範囲
【補正対象項目名】請求項３
【補正方法】変更
【補正の内容】
【請求項３】
請求項１に記載のゴルフ用グリーンマーカーに光源を点灯または消灯させるためのスイッチを装備したことを特徴とするゴルフ用グリーンマーカー。
【手続補正３】
【補正対象書類名】実用新案登録請求の範囲
【補正対象項目名】請求項４
【補正方法】変更
【補正の内容】
【請求項４】
請求項２に記載のゴルフ用グリーンマーカーに光源を点灯または消灯させるためのスイッチを装備したことを特徴とするゴルフ用グリーンマーカー。 
【手続補正４】
【補正対象書類名】実用新案登録請求の範囲
【補正対象項目名】請求項５
【補正方法】変更
【補正の内容】
【請求項５】
請求項１に記載のゴルフ用グリーンマーカーに光源を点灯させるだけでなく、点滅もさせる制御基板を追加したことを特徴とするゴルフ用グリーンマーカー。
【手続補正５】
【補正対象書類名】実用新案登録請求の範囲
【補正対象項目名】請求項６
【補正方法】変更
【補正の内容】
【請求項６】
請求項２に記載ゴルフ用のグリーンマーカーに光源を点灯させるだけでなく、点滅もさせる制御基板を追加したことを特徴とするゴルフ用グリーンマーカー。
【手続補正６】
【補正対象書類名】実用新案登録請求の範囲
【補正対象項目名】請求項７
【補正方法】変更
【補正の内容】
【請求項７】
請求項３に記載のゴルフ用グリーンマーカーに光源を点灯させるだけでなく、点滅もさせる制御基板を追加したことを特徴とするゴルフ用グリーンマーカー。
【手続補正７】
【補正対象書類名】実用新案登録請求の範囲
【補正対象項目名】請求項８
【補正方法】変更
【補正の内容】
【請求項８】
請求項４に記載のゴルフ用グリーンマーカーに光源を点灯させるだけでなく、点滅もさせる制御基板を追加したことを特徴とするゴルフ用グリーンマーカー。